(57)【要約】【課題】常装着型入力システムは、常に身体に装着しなければコミュニケーションが図れず、またポータブル対話装置はかなりの重量となり、使用者に負担であった。【解決手段】筐体２を握持する使用者のそれぞれの指があたる位置にて筐体に対して複数のキー３，４，５，６を進退動可能に筐体に配設し、指の動きに応動したキーの移動に従って電位を発生させるキー電位発生器と、発生電位を送信コード信号に変換するコード回路と、受信コード信号をキー移動の電位に変換するアンコード回路と、アンコード回路からの変換電位によってキーを移動させるキー駆動発生器と、コード化信号を送受信する送受信器とを具備した通信端末装置の構成とした。これにより、コミュニケーション器官に何らかの障害を持つ人とその他の人に対し、持ち運びを容易にし、しかも容易かつ正確にコミュニケーションを図れることを可能とした。【選択図】図１
2008059486.tif 000002
【特許請求の範囲】
【請求項１】
筐体と、該筐体を握持する使用者のそれぞれの指があたる位置にて前記筐体に対して進退動可能に前記筐体に配設された複数のキーと、前記使用者の指の動きに応動した前記キーの移動に従って電位を発生させるキー電位発生器と、発生した電位を送信コード信号に変換するコード回路と、受信したコード信号を前記キーを移動させる電位に変換するアンコード回路と、前記アンコード回路からの変換電位によって前記キーを移動させるキー駆動発生器と、コード化された信号を送受信する送受信器とからなることを特徴とする通信端末装置。
【請求項２】
前記キー電位発生器および前記キー駆動発生器を一体的に成し、前記キーに固定した可動軸と、該可動軸に固定した磁石と、該磁石に対向させて設けた少なくとも２つの相互に１８０°に逆方向巻きの励磁コイルであって単一コイルによって成したリニア振動アクチュエータであることを特徴とする請求項１記載の通信端末装置。
【請求項３】
少なくとも一対のクリックスイッチと、移動又はスクロールスイッチとを具備したことを特徴とする請求項１または２記載の通信端末装置。
【請求項４】
前記筐体を使用者が片手で握持できる形状と成したことを特徴とする請求項１ないし３記載のいずれか１項記載の通信端末装置。
【請求項５】
使用者が片手で握持できる形状と成した前記筐体２個を一対として両手で握持し、これらを有線または無線にて接続して一体化したことを特徴とする請求項４記載の通信端末装置。
【請求項６】
前記キー電位発生器と前記キー駆動発生器とからなるリニア振動アクチュエータが、筒状ボビン、該ボビンの軸方向に単一コイルを少なくとも２分割して該ボビンの外周面に所定間隔をあけて巻回してなる励磁コイルおよびこれら分割した励磁コイル列の中央の位置上に配設した磁束収束のための磁性体を具備した固定子と、前記ボビン内にて軸方向に往復動自在に配置した棒状可動子、前記可動子に装着した磁性体、および該磁性体の軸方向両側にて前記可動子に装着した永久磁石を具備した可動体とからなり、該可動体の前記磁性体およびその両側の前記永久磁石の磁極を軸方向にＳ極−Ｎ極−Ｓ極またはＮ極−Ｓ極−Ｎ極と成したリニア振動アクチュエータを少なくとも２個、枠体に所定間隔をあけて配置してこれらリニア振動アクチュエータの各固定子の両端を固定支持し、かつこれらリニア振動アクチュエータの各固定子の各磁性体を、これらリニア振動アクチュエータを並べた方向に延びる直線上に配設されるリニア振動アクチュエータモジュールを成すことを特徴とする請求項１〜請求項５に記載の通信端末装置。
【請求項７】
前記リニア振動アクチュエータモジュールにおいて、前記固定子の前記磁束収束のための磁性体が前記ボビンのリニア振動アクチュエータのそれぞれ分割した励磁コイルの中央の位置上であって外周に沿わせた略半円状となしたことを特徴とする請求項６記載の通信端末装置。
【請求項８】
前記リニア振動アクチュエータモジュールにおいて、隣り合うリニア振動アクチュエータの可動体の前記磁性体の磁極がＳ極−Ｎ極−Ｓ極、Ｎ極−Ｓ極−Ｎ極と交互に所定間隔をあけて平行に枠体に配設して、前記固定子の前記磁束収束のための磁性体を前記ボビンのリニア振動アクチュエータのそれぞれ分割した励磁コイルの中央の位置上であってこれらリニア振動アクチュエータを並べた方向に直線的に延ばして磁束収束用磁性体が前記枠体に設ることを特徴とする請求項６記載の通信端末装置。
【発明の詳細な説明】
【技術分野】
【０００１】
本発明は、特に盲ろう者などの何らかの障害を持つ人とその他の人とのコミュニケーションを可能にした通信端末装置に関する。
【背景技術】
【０００２】
従来、盲ろう者を含めた目や耳の不自由な人と周囲の人とのコミュニケーションを図るツールとして、指に装着し、常に携帯することによってメニュー選択や文字入力などの入力を、いつでもどこでもすぐに入力できる常装着型入力システム（例えば、特許文献１および２）および盲ろう者と周囲の人との間のポータブル対話装置（例えば、特許文献３）が知られている。ポータブル対話装置は、点字入力キーボードと点字ディスプレイとを交互に使用するものである。
【０００３】
従来の常装着型入力システムの一例を、図２９に基づき説明する。
図２９に示すように、使用者の左手２０１の各指２０１ａ，２０１ｂ，２０１ｃ，２０１ｄ，２０１ｅに指輪型センサモジュール２０２，２０３，２０４，２０５，２０６を嵌め、かつ左手２０１の手首に腕時計型バンド２０７を着け、さらに携帯型情報処理機２０８を、使用者が持つ必要があった。指輪型センサモジュール２０２ないし２０６の内部にはそれぞれ、図示を省略した衝撃センサ、信号増幅器、光信号発振部が実装されている。また、腕時計型バンド２０７の内部には、図示を省略した光受信部、解析部および微弱電波送信器が組み込まれている。
【０００４】
各々の指に装着されたセンサモジュール２０２〜２０６内の衝撃センサは、各々の指が、床や壁・大腿部などの支持面を指先で叩いた（以下、打ち指という）ときに発生する衝撃を検出するようになっている。検出された衝撃信号は、信号増幅器で周波数弁別および初期増幅が行われた後、光信号発信部によって光パルスとして発信される。光パルスは、腕時計型バンド２０７内の光受信部で受光され、受光信号はバンド内１０６の解析部に入力され、出力文字コードを決定する。出力文字コードは、微弱電波送信器を通じて、内部に無線受信部を持つ携帯型情報処理機２０８に送られ、この処理機にて処理され入力情報が決定されるようになっている。
【０００５】
また従来のポータブル対話装置の一例を、図３０ないし図３２に基づき説明する。この対話装置は、図３０に示すように、盲ろう者が点字入力を行いそして点字触知をするための第１の操作ユニット３００と、図３１に示すように介助者が可視文字列の入力および判読を行うための第２の操作ユニット３１０と、図３２に示すように、これら第１および第２の操作ユニットを電気的および／または電子的に結合する連係装置３２０と、を備えた可搬式装置である。連係装置３２０は、制御・記憶部３２１を備え、基本的には通常のワードプロフェッサーまたはパーソナルコンピュータの主要部と同様な構成を有する。すなわち連係装置３２０は、第１の操作ユニット３００と組み込まれるか、または第２の操作ユニット３１０に組み込まれる。
【０００６】
この装置は、第１の操作ユニット３００からの点字入力キーボード３０１のキー操作に応じてピンディスプレイ３０２に点字を形成し音声を出力するとともに、第２の操作ユニット３１０のディスプレイ３１１上に対応する可視文字入力キーボード３１２の操作に応じてディスプレイ３１１上に可視文字列を表示するとともに、前記第１の操作ユニット３００のピンディスプレイ３０２上に対応する点字列を形成し、両者間の対話を可能にする。
【特許文献１】特許第２６９８３２０号公報
【特許文献２】特開２０００−３２１９７１号公報
【特許文献３】特開２００１−７５４７３号公報
【発明の開示】
【発明が解決しようとする課題】
【０００７】
上述の常装着型入力システム（例えば、特許文献１および２）およびポータブル対話装置（例えば、特許文献３）において、常装着型入力システムの場合、システムを構成する装置を常に身体に装着しなければコミュニケーションが図れず、この装着が盲ろう者に限らず健常者においても身体的違和感を伴わせるというおそれがある。またポータブル対話装置の場合、連係装置が第１の操作ユニットまたは第２の操作ユニットに組み込まれるので、ポータブルといってもかなりの重量となり、使用者にはかなりの肉体的負担となるおそれがある。
また、従来の常装着型入力システムおよびポータブル対話装置では、ポータブル対話装置のキーボードのように操作性および持ち運び性において、どこでも容易にコミュニケーションを行えるというようなリアルタイムな会話はできない。したがって、手に持って各指による操作ができ、持ち運び性がよいコミュニケーション通信端末装置が望まれていた。かつ、操作が終了すれば、手に持たなくてもよい通信端末装置も望まれていた。
【０００８】
本発明は、このような従来の構成が有していた問題を解決しようとするものであり、特に盲ろう者などの何らかの障害を持つ人とその他の人が、持ち運びが容易であって、しかも容易かつ正確にコミュニケーションを図れる通信端末装置を提供することを目的とする。
【課題を解決するための手段】
【０００９】
本発明は、上記目的を達成するために、筐体と、該筐体を握持する使用者のそれぞれの指があたる位置にて前記筐体に対して進退動可能に前記筐体に配設された複数のキーと、前記使用者の指の動きに応動した前記キーの移動に従って電位を発生させるキー電位発生器と、発生した電位を送信コード信号に変換するコード回路と、受信したコード信号を前記キーを移動させる電位に変換するアンコード回路と、前記アンコード回路からの変換電位によって前記キーを移動させるキー駆動発生器と、コード化された信号を送受信する送受信器とからなることを特徴とする通信端末装置である。
【００１０】
また本発明は、上述の通信端末装置において、前記キー電位発生器および前記キー駆動発生器を一体的に成し、前記キーに固定した可動軸と、該可動軸に固定した磁石と、該磁石に対向させて設けた少なくとも２つの相互に１８０°に逆方向巻きの励磁コイルであって単一コイルによって成したリニア振動アクチュエータであることを特徴とする。
【００１１】
また本発明は、上述の通信端末装置において、少なくとも一対のクリックスイッチと、移動又はスクロールスイッチとを具備したことを特徴とする。
【００１２】
また本発明は、上述の通信端末装置において、前記筐体を使用者が片手で握持できる形状と成したことを特徴とする。
【００１３】
また本発明は、上述の通信端末装置において、使用者が片手で握持できる形状と成した前記筐体２個を一対として両手で握持し、これらを有線または無線にて接続して一体化したことを特徴とする。
【００１４】
また本発明は、上述の通信端末装置において、前記キー電位発生器と前記キー駆動発生器とからなるリニア振動アクチュエータが、筒状ボビン、該ボビンの軸方向に単一コイルを少なくとも２分割して該ボビンの外周面に所定間隔をあけて巻回してなる励磁コイルおよびこれら分割した励磁コイル列の中央の位置上に配設した磁束収束のための磁性体を具備した固定子と、前記ボビン内にて軸方向に往復動自在に配置した棒状可動子、前記可動子に装着した磁性体、および該磁性体の軸方向両側にて前記可動子に装着した永久磁石を具備した可動体とからなり、該可動体の前記磁性体およびその両側の前記永久磁石の磁極を軸方向にＳ極−Ｎ極−Ｓ極またはＮ極−Ｓ極−Ｎ極と成したリニア振動アクチュエータを少なくとも２個、枠体に所定間隔をあけて配置してこれらリニア振動アクチュエータの各固定子の両端を固定支持し、かつこれらリニア振動アクチュエータの各固定子の各磁性体を、これらリニア振動アクチュエータを並べた方向に延びる直線上に配設されるリニア振動アクチュエータモジュールを成すことを特徴とする。
【００１５】
また本発明は、上述の通信端末装置において、前記リニア振動アクチュエータモジュールにおいて、前記固定子の前記磁束収束のための磁性体が前記ボビンのリニア振動アクチュエータのそれぞれ分割した励磁コイルの中央の位置上であって外周に沿わせた略半円状となしたことを特徴とする。
【００１６】
また本発明は、上述の通信端末装置において、前記リニア振動アクチュエータモジュールにおいて、隣り合うリニア振動アクチュエータの可動体の前記磁性体の磁極がＳ極−Ｎ極−Ｓ極、Ｎ極−Ｓ極−Ｎ極と交互に所定間隔をあけて平行に枠体に配設して、前記固定子の前記磁束収束のための磁性体を前記ボビンのリニア振動アクチュエータのそれぞれ分割した励磁コイルの中央の位置上であってこれらリニア振動アクチュエータを並べた方向に直線的に延ばして磁束収束用磁性体が前記枠体に設ることを特徴とする。
【００１７】
上述の通信端末装置による作用は、次の通りである。すなわち、持ち運び容易な端末装置の送信器にて、キーの移動に応じたコード化信号を発信し、一方、有線または無線の形で同端末装置の受信器にてコード化された信号を受信して端末装置のキーを移動させるようにしたので、これらコードを言語たとえば点字に対応させれば、容易かつ正確に、この端末装置を持つ盲ろう者を含めた何らかの障害を持つ人と、他のこの端末装置を持つ周囲の人とのコミュニケーションを図ることができる。また、この通信端末装置をコミュニケーションに障害を持つ人が持ち、他方、同じまたは同様な通信端末装置をその周りの人が持ち、双方にて信号のやり取りを行ってコミュニケーションを図ることの他、これら通信端末装置をパソコンに接続して信号のやり取りを行って、パソコンのディスプレイに文字出力や音声出力をするようにしてもよい。
【００１８】
また上述の通信端末装置による作用は、励磁コイルを少なくとも２つの相互に１８０°逆方向巻きのリニア式とすることによって、キーの長いストロークで安定した起電力を発生させる一方、電位を印加ことによりキーに長いストロークで安定した駆動力を発生させることができる。
【００１９】
また上述の通信端末装置による作用は、少なくとも一対のクリックスイッチにより文字入力を決定または解除することができ、また文字を読み込むための移動又はスクロール機能スイッチにより文字の入力と出力を可能とすることができる。
【００２０】
また上述の通信端末装置による作用は、片手入力でも可能とすることにより、片手しか使えない人またはもう片方の手で何かを作業しながら入力することを可能とする。
【００２１】
また上述の通信端末装置による作用は、６点からなる点字入力をより可能とし、両手で一度に６点の点字を入力可能とするように２つの通信端末装置を有線又は無線で一体化する。
【００２２】
また上述の通信端末装置による作用は、次の通りである。モジュールの各々のリニア振動アクチュエータにおいて、固定子側の少なくとも２分割のリニア励磁コイルと、可動体側の磁性体とその両側の永久磁石との作用により、固定子側の磁性体と可動体側の磁性体が位置的に一致し、結局は可動体が固定子の中央に定着する。すなわち可動体は、非動作時に中立状態または平衡状態に位置する。その結果、可動体の左右のストロークを確保することができる。この状態において、励磁コイルに通電すると、それぞれの磁極との間に吸引力や反発力が発生し、その結果、可動体が移動する。ここで、励磁コイル通電方向を変えることで、可動体が逆の方向に移動する。つまり、励磁コイルの通電方向の切り換えが、可動体の移動方位を変えることになる。この単一のリニア励磁コイルの通電とは逆に、人的または機械的に可動体の棒状可動子の一方または他方の端に力を与えることでも、電磁誘導の法則により励磁コイルに起電力が発生して電流の変化が現れる。この電流の変化をセンサとして活用する。
したがって、このモジュールを、多数の振動アクチュエータを用いる機器例えば視聴覚障害者の情報伝達手段としての触覚ディスプレイに使用することができるだけでなく、触覚センサにも兼用できるという効果も発揮する。
【００２３】
さらに、少なくとも２分割以上の単一励磁コイルをそれぞれ適当な間隔を置いてリニアに巻回配置すれば、相互インダクタすなわち電気抵抗の増加を抑え、可動子のダイナミックすなわち移動ストロークを大きくすることが可能となる。その結果、可動体の棒状可動子に人的または機械的に力を加えることでも、逆に励磁コイルの起電位を効率よく変化せることができる。
【００２４】
また上述の通信端末装置による作用は、隣接するアクチュエータの可動体のつき合わせた磁極が互いに引き合う極とすることにより、可動体を中立状態に安定させるという効果を発揮する。
【００２５】
また上述の通信端末装置による作用は、リニア振動アクチュエータにおいて、各リニア振動アクチュエータの固定子での磁性体をそれぞれ設けるのではなく、1つの磁性体で賄うようにした点が異なり、隣り合うリニア振動アクチュエータの互いに引き合うための磁束線をガイドする1本の磁性体の軌道を設けたことを特徴とする。この磁性体の軌道は、隣り合う複数のリニア振動アクチュエータの磁極を１本の磁性体で吸い寄せて、隣接するリニア振動アクチュエータの磁界の反発干渉を打ち消し、中立状態を安定して保つ役割を果たす。
【発明の効果】
【００２６】
上述したような本発明に係る通信端末装置は、特に盲ろう者などのコミュニケーションに何らかの障害を持つ人とその周りの人が、持ち運びが容易であって、しかも容易かつ正確にコミュニケーションを図れる通信端末装置を提供できる。
【発明を実施するための最良の形態】
【００２７】
以下、本発明に係る通信端末装置の第１の実施の形態を、図１ないし図１４に基づいて説明する。
この実施の形態に係る通信端末装置は、左右の一対の通信端末機１，１０１からなる。図１に示した右手用通信端末機１と図２に示した左手用通信端末機１０１とは、右、左の差はあるが、基本的構成は同様であるので、以後では、右手用通信端末機１を説明するのと同時にその構成要素の符号にかっこ書きで左手用通信端末機の同じ構成要素の符合を併記し,左手用通信端末機１０１の各構成要素の説明を省略する。
【００２８】
通信端末機１（１０１）は、筐体２（１０２）と、この筐体２（１０２）を握持する使用者のそれぞれの指があたる位置にて筐体に対して出没動可能に配設された４個のキー３（１０３），４（１０４），５（１０５），６（１０６）とを具備している。この筐体２（１０２）の形は、使用者が握りやすく、かつ使用者が筐体を握った状態にて人指指、中指、薬指、小指があたるよう、４個のキーをそれぞれ配設している。
【００２９】
これらキーのそれぞれには、図３および図４に示すように、使用者のそれぞれの指の動きに応動したキーの移動に従って電位を発生させるキー電位発生器１０（１１０）が設けてある。このキー電位発生器１０（１１０）はまた、後述するアンコード回路からの変換電位によってこのキーを移動させるキー駆動発生器を兼ねている。
【００３０】
キー電位発生器１０（１１０）は、例えばキー３（１０３）に接続したものにつき説明すると、図３ないし図５に示すように、キーに固定した可動軸１１（１１１：可動子）と、可動軸１１（１１１）に装着した磁石１２（１１２）と、この磁石に対向させて設けた２つの相互に逆方向巻きの励磁コイル１３（１１３）を筒状ボビン１４（１１４）に巻回して設けており、磁石１２（１１２）を筐体２（１０２）に対し出没方向に付勢するため、コイルばね１５（１１５），１６（１１６）を設けている。ボビン１４（１１４）の両端には、コイルばね１５（１１５），１６（１１６）のそれぞれの遊端部を受け止める外側受け部１７（１１７）と内側受け部１８（１１８）とを設けている。図５中、１３ａ（１１３ａ）は右巻き励磁コイル、１３ｂ（１１３ｂ）は左巻き励磁コイル、９（１０９）は電極端子を示す。
【００３１】
ボビン１４の外側には、外面にねじ溝を切った円筒状のカバー１９（１１９）が設けてある。このカバー１９（１１９）を筐体２（１０２）にねじ止めしているのが、外側固定ナット２０（１２０）と内側固定ナット２１（１２１）である。外側固定ナットを回転調整することにより、カバー１９（１１９）を筐体２（１０２）に対し出没動させて、使用者の手の大きさすなわち指の位置に合わせてキー３（１０３），４（１０４），５（１０５），６（１０６）の高さを調整できるようになっている。図３および図４にて、７，１０７は筐体２，１０２に設けた複数のタップ、８，１０８はリード線の固定ゴムである。
【００３２】
キー駆動発生器を兼ねたキー電位発生器１０（１１０：リニア振動アクチュエータ）の機能を、図６ないし図９に基づき、説明する。図６に示すように、キー３（１０３），４（１０４），５（１０５），６（１０６）に外力Ｆ１が加わると、磁石１２（１１２）は、コイルばね１６（１１６）に抗しつつ、図中、実線にて示した位置から二点鎖線にて示した位置へと筐体２（１０２）に対し没する方向へ移動する。このとき、電磁誘導の作用により励磁コイル１３（１１３）に、図中、矢印ａ方向に起電流すなわち信号電流が発生する。これら信号電流は、キーが押されたことを認識するため信号を規定する。図６中、Ｂ１，Ｂ２は矢印方向に向かう磁束線である。
【００３３】
図７に示すように、没した位置から、このキーへの外力を外すと、磁石１２（１１２）は、コイルばね１６（１０６）の付勢力と相まって、図中、実線位置から二点鎖線にて示した位置へと、筐体２（１０２）に対して突出する方向へ力Ｆ１によって移動する。このとき、電磁誘導の作用により励磁コイル１３（１１３）に、図中、ｂ方向に起電流すなわち信号電流が発生する。これら信号電流は、上述のキー押し認識信号に続いて、どのキーが押されたのかを割り出すための信号である。上述の図７中、Ｂ３，Ｂ４は矢印方向に向かう磁束線である。
【００３４】
一方、図８に示すように、励磁コイル１３（１１３）に図中、矢印ｂ方向に信号電流を通すと、電磁誘導の作用により磁石１２（１１２）は、コイルばね１６（１１６）に抗しつつ、図中、実線に示した突出位置から二点鎖線にて示した位置へと、筐体２（１０２）に対し没する方向へ力Ｆ１によって移動する。図８中、Ｂ３，Ｂ４は矢印方向に向かう磁束線である。
【００３５】
さらに没した位置の磁石１２（１１２）に対し、図９に示すように、コイル１３（１１３）に図中、矢印ａ方向へ信号電流を通すと、電磁誘導の作用により磁石１２（１１２）は、コイルばね１６（１０６）の付勢力と相まって、図中、実線位置から二点鎖線にて示した位置へと、筐体２（１０２）に対して突出する方向へ力Ｆ２によって移動する。図９中、Ｂ１，Ｂ２は矢印方向に向かう磁束線である。
【００３６】
図６および図７において、起電流発生の際、キー３（１０３），４（１０４），５（１０５），６（１０６）を早く押した場合の加圧エネルギーと、これらキーを離したときの復帰エネルギーとは同じであり、これらキーをゆっくり押した場合の加圧エネルギーと、これらキーを離したときの復帰エネルギーも同じであることが、図１０および図１１から理解できる。すなわち、図１０にて、起電力を縦軸、時間を横軸にとったとき、各キーを早く押す時間を２０ミリ秒（ＭＳ）とするとそのときの加圧エネルギーＳ１であり、これらキーを離したときの復帰エネルギーＳ２は加圧エネルギーＳ１と同じ大きさとなる。復帰に要した時間は１００ミリ秒（ＭＳ）であった。一方、起電力を縦軸、時間を横軸にとった図１１にて、各キーをゆっくり押す時間を５０ミリ秒（ＭＳ）とするとそのときの加圧エネルギーＳ３であり、これらキーを離したときの復帰エネルギーＳ４は加圧エネルギーＳ３と同じ大きさであった。復帰に要した時間は１００ミリ秒（ＭＳ）であった。
【００３７】
キー電位発生器１０（１１０）にて発生した電流は、図１２に示すように回路基板２２（１２２）に配設した入力アンプ回路２３（１２３），２４（１２４），２５（１２５），２６（１２６）にて増幅され、Ａ／Ｄ変換回路２７（１２７），２８（１２８），２９（１２９），３０（１３０）にてアナログ信号からデジタル信号へと変換されて、マイクロコンピュータであるＣＰＵ４０（１４０）へと入る。
【００３８】
ＣＰＵ４０（１４０）は、変換されたデジタル信号を送信コードに変換するコード回路１４１を具備するとともに、送受信器１５０から受信したコード信号を、キー３（１０３），４（１０４），５（１０５），６（１０６）を駆動する電位に変換するアンコード回路４２（１４２）を具備している。
【００３９】
コード回路１４１は、信号を種々のコードに変換できるコード表テーブルを備えている。例えば図１３に一例を示すと、デジタル信号を日本語のひながなおよび各種記号に変換するコード表テーブルを備えている。左右８個のキー３，４，５，６，１０３，１０４，１０５，１０６の組み合わせで２５６種類の信号を作ることが可能で、従来のキーボードの信号を全て賄う。文字は、キー３，４，５，１０３，１０４，１０５の組み合わせの指点字で、１６進法表示により６４種類を表現できる。またキー６，１０６とキー３，４，５，１０３，１０４，１０５の指点字の組み合わせにより２５６種類の文字を含めた命令や記号が表現できる。
【００４０】
文字部は１６進法表示され、図１３中、縦軸は左手キー１０３，１０４，１０５，１０６での組み合わせ、横軸は右手キー３，４，５，６での組み合わせを示している。左手キー１０３は縦軸の１６進法での１を示し、キー１０４は１６進法で２、３を示し、キー１０５は１６進法での４〜７を示す。同様に右手キー３は、１６進法での１を示し、キー４は１６進法での２，３を、キー５は１６進法での４〜７を示す。一番下の左手キー１０６はキーボードにてのＳｈｉｆｔ（シフト）キーの機能を果たし、右手キー６はキーボードにてのＡｌｔ（変換）キーの機能を果たす。したがって、図１３中、Ｓｈｉｆｔキーが記載してある左下の空白部分は、英語ほか外国語の小文字を表示する配列となり、Ａｌｔキーが記載してある右上の空白部分は、キーボードでのＭｅｎｕ（メニュー）キーを表示する配列となる。Ｃｔｒｌ（コントロール）キーが記載してある図１３の右下の空白部分はキーボードでのＦｕｎｃｔｉｏｎ（ファンクション）キーを表示する配列となる。
【００４１】
また例えば図１４に示した例に従えば、デジタル信号を英語のアルファベットの大文字および各種記号に変換するコード表テーブルを備えている。左右８個のキー３，４，５，６，１０３，１０４，１０５，１０６の組み合わせで２８６種類の信号を作ること、また文字はキー３，４，５，１０３，１０４，１０５の組み合わせの指点字で、１６進法表示により６４種類を表現できること、またキー６，１０６とキー３，４，５，１０３，１０４，１０５の指点字の組み合わせにより２５６種類の文字を含めた命令や記号が表現できることは、図１３の場合と同様である。
【００４２】
図１４中、Ｓｈｉｆｔ（シフト）キーが記載してある左下の空白部分は、英語のアルファベットの小文字を表示する配列となり、Ａｌｔ（変換）キーが記載してある右上の空白部分は、キーボードにてのＭｅｎｕ（メニュ）キーを表示する配列となる。Ｃｔｒｌ（コントロール）キーが記載してある図１４の右下の空白部分は、キーボードにてのＦｕｎｃｔｉｏｎ（ファンクション）キーを表示する配列となる。
【００４３】
アンコード回路４２（１４２）もまた、コード回路４１（１４１）と同様なテーブルを具備しているが、丁度コード回路４１（１４１）とは逆となり、日本語のひらがなまたは英語のアルファベットなどの信号をデジタル信号に変換することとなる。
【００４４】
送受信器５０（１５０）は、双方向通信可能な受信回路５１（１５１）と、赤外ＬＥＤ，ＦＭモジュレータなどを備えた発信回路５２（１５２）とを具備している。この送受信器５０にアンテナ６０（１６０）が電気的に接続している。
なお、図示例では、アンテナとして赤外線ポートの例を示しているが、アンテナを介さずに、その信号はリード線を経由して、直接、ＵＳＢポートからパソコンまたは他方の端末機に接続してもよいし、また図１または図２の端末機を１対として使用する場合は、リード線６８、１６８を介して信号を双方向に送受信してもよい。
【００４５】
ＣＰＵ４０（１４０）に、受信したデジタル信号をアナログ信号に変換するＤ／Ａ変換回路３１（１３１），３２（１３２），３３（１３３），３４（１３４）が接続し、さらにこれらＤ／Ａ変換回路にそれぞれリニア出力アンプ回路３５（１３５），３６（１３６），３７（１３７），３８（１３８）が接続し、これらリニア出力アンプ回路はキー電位発生器を兼ねたキー駆動回路１０（１１０）のそれぞれに接続している。
【００４６】
ＣＰＵ４０（１４０）にはまた、マウスまたはポインティング入力装置にての右クリックスイッチボタンを操作する右クリックスイッチ操作回路６１（１６１）、マウスまたはポインティング入力装置での左クリックスイッチボタンを操作する左クリックスイッチ操作回路６２（１６２）、およびマウスまたはポインティング入力装置にてのスクロールスイッチダイアル・クリックスイッチボタンを操作するスクロール操作回路６２（１６２）がそれぞれ接続している。図１および図３に、右クリックスイッチボタン６４、左クリックスイッチボタン６５、スクロールスイッチダイアル６６、およびクリックスイッチボタン６７が示され、図２および図４に、右クリックスイッチボタン１６４、左クリックスイッチボタン１６５、スクロールスイッチダイアル１６６、およびクリックスイッチボタン１６７が示されている。
右クリックスイッチボタン６４および１６４、左クリックスイッチボタン６５および１６５、ならびにクリックスイッチボタン６７および１６７は、クリックされることにより、スイッチをＯＮにして対応する電気信号を出力する。
スクロールスイッチダイアル６６および１６６は、図中、時計方向および逆時計方向に回転させることにより動作し、回転方向に対応した電気信号を出力する。
【００４７】
次に、上述の実施の態様につき、その動作を説明する。
ある操作者がその手によってキー３，４，５，６，１０３，１０４，１０５，１０６のいずれかを押して離すと、それぞれのキーに対応したキー電位発生器１０，１１０の可動軸１１，１１１上の磁石１２，１１２が励磁コイル１３，１１３の中を振動して、励磁コイルに電位が発生する。
【００４８】
この電位の変化は、アナログ信号として、入力アンプ回路２３,２４,２５，２６，１２３，１２４，１２５，１２６によって増幅され、Ａ/Ｄ変換回路２７,２８,２９,３０，１２７，１２８，１２９，１３０によりあらかじめ設定された電圧の入力レンジの範囲内において必要な解像度でデジタル信号として採取され、ＣＰＵ４０，１４０に送られる。ＣＰＵ４０，１４０内のコード回路４１，１４１は、キーの押された個所から図１３または図１４に示したコード表テーブルに従い、指点字に従った文字のコード信号を送受信器５０，１５０から発信する。その信号はリード線６８，１６８を経由してＵＳＢポートから図示を省略したパソコンまたは、他の操作者が持っている他方の通信端末機に有線接続されるか、アンテナ６０，１６０を通して無線接続される。パソコンは信号を受信して適切な文字、点字などを表示する。
【００４９】
一方、パソコンおよび上記他の操作者から発信された文字や点字信号は、ＵＳＢポートかアンテナ６０，１６０を経由し送受信器５０，１５０を通してＣＰＵ４０，１４０へ送られる。ＣＰＵ４０，１４０のアンコード回路４２，１４２は、文字や点字信号に従いキーの振動の信号を発信し、Ｄ／Ａ変換回路３１，３２，３３，３４，１３１，１３２，１３３，１３４にてアナログ信号に変換し、リニア出力アンプ回路３５，３６，３７，３８，１３５，１３６，１３７，１３８によって信号を増幅し、それぞれのキーに接続したキー駆動発生器１０により対応するキーを適切に振動させて、筐体２，１０２に対し出没動させる。この場合の振動は、入力とは可逆の作用により入力の時と同じ発生電位を逆の方向で与えることにより入力時の指が押した同じ振動を得る。
【００５０】
なお、通信端末機１，１０１を片手操作する場合は、キー３ないし６および１０３ないし１０６を２回の入力または２回の出力振動により認識させることによって上述のようなコミュニケーションを達成することができる。
【００５１】
以下、本発明に係る通信端末装置の第２の実施の形態を、図１５ないし図２８に基づいて説明する。第２の実施形態においては、上述したキー駆動発生器を兼ねたキー電位発生器１０（１１０：リニア振動アクチュエータ）とは異なる形態のリニア振動アクチュエータを用いた場合の実施形態について説明する。
【００５２】
図１５ないし図１７は、本発明の一実施の形態に関わるリニア振動アクチュエータの基本的な構成を示す図である。このリニア振動アクチュエータＡは、円筒型のボビンＢと、ボビンＢの外周面に３分割に巻回した励磁コイルＣと、これらコイルを覆う非磁性体であるカバーＳと、カバーＳの外面に取り付けた半円状の磁性体Ｄと、励磁コイルの電極端子Ｏと、可動体Ｅの可動軸Ｆの軸受Ｐ，Ｑとからなる。可動体Ｅは、磁性体Ｇの中心方向に同じ磁極をつき合せるように取り付けられた左右２つづつの永久磁石ＨとＩからなる。
【００５３】
励磁コイルＣは単一コイルからなり、その巻き方がボビンＢの軸方向の中央位置から適当な間隙で３等分に振り分けられて、ボビンＢに巻線されている。励磁コイルＣ−ａ，Ｃ−ｂ，Ｃ−ｃは、それらのコイルの巻線方向をそれぞれ１８０°に逆方向巻きの励磁コイルであって３分割のリニア励磁コイルを形成している。
【００５４】
ここで、３分割されたリニアの励磁コイルＣについてさらに詳しく述べると、可動体Ｅの可動軸Ｆのストロークを長く取り、一定した駆動力と起電力を得るためには励磁コイルＣをリニアに多く設けることが必要になった。それを実現する目的で、励磁コイルＣは単層巻で３分割した励磁コイルＣ−ａ，Ｃ−ｂ，Ｃ−ｃによって広い範囲に渡り直線的ダイナミックス即ち可動体を安定した力で直線移動でき、さらに３分割した励磁コイルＣは相互インダクタ即ち電気抵抗の増加を抑えるようにして、広い範囲の移動に対応して効率的な起電力を発生するようにした。
【００５５】
可動体Ｅは、非磁性体の可動子Ｆ、磁性体Ｇ、および２つの永久磁石Ｈ，Ｉから構成される。可動子Ｆは、軸受Ｐ，Ｑに回転自在に支持されている。磁性体Ｇと、永久磁石Ｈ，Ｉとの位置関係は、磁性体Ｇがリニア振動アクチュエータＡの磁性体Ｄと同一位置になるように、また永久磁石Ｈ，Ｉが磁性体Ｇの両側に密着するように配置されている。さらに、２つの永久磁石Ｈ，Ｉは、磁性体Ｇを挟んでＳ極−Ｎ極、Ｎ極−Ｓ極（またはＮ極−Ｓ極、Ｓ極−Ｎ極）と互いに反発するように向き合せて配置され、それぞれが可動子Ｆに堅牢に固定される。
【００５６】
ここで、磁性体Ｇを挟んで磁極を反発するようにつき合せた可動体Ｅついてさら詳しく述べると、駆動力や起電力を大きく取るためには強力な磁極が必要になった。それを実現する目的で、磁性体Ｇにネオジュームやなどの強力な永久磁石で反発する磁極をつき合わせることにより磁束線を高密度に集中させた強力な磁極を可動体Ｅの磁性体Ｇに設けた。
【００５７】
可動体Ｅ自体は、リニア振動アクチュエータＡのボビンＢ内に挿入された状態のとき、中央部の磁性体Ｇには単極の磁力線が放射され、両端にその磁束線が収束する。可動体Ｅは、励磁コイルＣに電位を印加しない限り、移動しない。可動体Ｅは、リニア振動アクチュエータＡの磁性体Ｄに引寄せられて、可動体Ｅの磁性体Ｇと磁性体Ｄと同位置になるようにして中立状態が保持される。なお、可動体Ｅの可動子Ｆは、図１５ないし図１７に示すように、両側の長さが左右の長さが非対称であっても、また同じであっても、使用目的にあわせて決定されるものである。
【００５８】
可動体Ｅは、外部からの環境条件として人的圧力、機械的圧力または電気的極性の変化などが与えられることにより、図１５に示すように、磁性体Ｄを中立点として左右方向に自由に駆動される。
【００５９】
可動体Ｅが中立状態になるのは、可動体Ｅにての永久磁石Ｈ、Ｉに挟まれた磁性体Ｇから高密度の強い磁極が形成され、可動体Ｅの永久磁石Ｈ，Ｉの各外端部に反対の弱い磁極が形成されるので、磁性体Ｇから永久磁石Ｈ，Ｉの各外端部に磁力線が収束する。さらに可動体の磁性体Ｇから放射される磁束線は、電位の印加が無い状態では、リニア振動アクチュエータの磁性体Ｄを経由して永久磁石Ｈ、Ｉの端部に再び戻るような磁路が形成されるため、磁性体Ｇが磁性体Ｄに吸引されて、可動体Ｅの中立状態が保たれる。磁性体Ｇに強い磁極が形成されるのは、両永久磁石からそれぞれの磁力線が入り込むからである。
【００６０】
図１５ないし図１７において、可動体Ｅの可動軸Ｆの一先端から人的力を加えて一時的に他方の先端に向けて強制移動させる。その結果、フレーミングの電磁誘導の法則によって励磁コイルＣに移動を妨げる方向の磁束が生じ、入出力端子Ｏに電流が出力される。この機能が上記第１の実施形態におけるキー電位発生器に相当するものである。
【００６１】
この電流が生じる仕組みを磁力線に従って説明する。ここに励磁コイルＣは、電流をある方向に流したとき可動子Ｆの軸方向にコイルＣ−ａの外端がＮ極（またはＳ極）、コイルＣ−ａとＣ−ｂとの間の分割点がＳ極（またはＮ極）、コイルＣ−ｂとＣ−ｃとの間の分割点がＮ極（またはＳ極）、コイルＣ−ｃの外端がＳ極（またはＮ極）となるよう、可動体Ｅの磁極配列と同じようなリニア配置としている。この状態において可動体Ｅが上述のある方向に分割コイル間の２つの分割点間を移動すると、可動体Ｅの中心の強い磁極がコイル間の分割点に近づくにつれ、その分割点にはその運動と反発する磁界の変化が生じて電流が流れる。他方のコイル間の分割点には可動体Ｅの中心の強い磁極が遠ざかろうとするので、上述とは反対に引き戻そうとする磁界の変化が生じて反対の電流が流れる。その結果、リニアコイルゆえにこれら電流が一方向に流れて効率的に起電力を生じさせる。
【００６２】
続いて、人的力を解除することで、可動体が戻ろうとする。その結果、フレーミングの電磁誘導の法則によって励磁コイルＣに移動を妨げる方向の磁束が生じ、入出力端子Ｏに上述の電流とは逆方向の電流が出力される。その原理は、上述とは逆の作用となることに基づく。その直後、可動体Ｅは元の中立状態に戻る。この状態は、起電力と時間の関係で図示した図１８に示してある。
【００６３】
次に、電極端子Ｏに電位を印加したとき、リニア振動アクチュエータＡは励磁コイルＣに電流が流れて磁界の変化が生じる。それによって、平衡状態が失われて、勿論、２つの前記磁極の変化が生じる。その結果、励磁コイルＣに磁石の方向から見てフレーミングの電磁誘導の法則に従い運動が生じる。その結果、可動体Ｅは、図１５中、矢印Ｌ方向に力が働き同一方向に移動する。この機能が上記第１の実施形態におけるキー駆動発生器に相当するものである。
【００６４】
この励磁コイルへの印加電位により可動体Ｅが移動する仕組みを磁力線に従って説明する。ここに励磁コイルＣは、印加電位に基づく電流により、可動軸Ｆの軸方向にコイルＣ−ａの外端がＮ極（またはＳ極）、コイルＣ−ａとＣ−ｂとの間の分割点がＳ極（またはＮ極）、コイルＣ−ｂとＣ−ｃとの間の分割点がＮ極（またはＳ極）、コイルＣ−ｃの外端がＳ極（またはＮ極）となるよう、可動体Ｅの磁極配列と同じようなリニア配置となる。この状態において隣接コイル間の分割点の磁極が可動体Ｅと反発し、もう片方の隣接コイル間の分割点の磁極が可動体Ｅを吸引しようとする。その結果、可動体Ｅが移動する。
【００６５】
引き続いて、電極端子Ｏに印加する電圧の極性を反転して電流の流れる向きを逆にすると、リニア振動アクチュエータＡの励磁コイルＣに逆電流が流れて磁界の変化が生じる。それによって、平衡状態が失われ、上述と同じ原理に基づいて磁極の変化をもたらす。その結果、励磁コイルＣに磁石の方向から見てフレーミングの電磁誘導の法則に従い運動生じる。その結果、可動体Ｅは、図１５中、矢印Ｒ方向に力が働き同一方向に移動する。
【００６６】
人的圧力または機械的圧力によるこの現象を人的圧力または機械的圧力を電気変換して捉えることができるので、リニア振動アクチュエータＡの励磁コイルＣは特に、スイッチの種類で言えば、トグルスイッチのＯＮ−ＯＦＦ−ＯＮタイプの機能を有した電磁スイッチの動作といえる。さらにはこの電気変換の波形をそのまま、印加して振動させれば、触覚センサ兼用触覚ディスプレイともなる。
【００６７】
図１９ないし図２２は、本発明のリニア振動アクチュエータモジュールの一実施の形態を示す図である。これら図において、Ｊは平面四角形状の枠体で、図１５ないし図１７に示した小型リニア振動アクチュエータのＮ個（ここにＮは２以上の正の整数を示す。）を一体にして、これらアクチュエータの各可動子Ｆの軸受を兼ねた取付け台としての機能を持ち、非磁性体で作られている。これら各リニア駆動アクチュエータＡの各磁性体Ｄは、これらリニア振動アクチュエータを並べた方向に延びる直線上に配設してある。Ｋ，Ｔは各軸受Ｐ，Ｑの間に設けた機械的なぶれ止めのカラーである。
【００６８】
このリニア振動アクチュエータモジュールにおいて、可動体Ｅの中心部である磁性体Ｇを挟んだ同一磁極の極性すなわちＳ−Ｓ極またはＮ−Ｎ極は、隣り合う可動体Ｅの磁極すなわち上記Ｓ−Ｓ極の場合はＮ−Ｎ極、上記Ｎ−Ｎ極の場合はＳ−Ｓ極と、引き合うように異なる磁極とし、交互に異なる磁極を並べたリニア振動アクチュエータモジュールとすることにより各可動体Ｅを中立状態に安定させるという効果を有する。
【００６９】
このモジュール自体は、盲ろう者や障害者同士、または健常者との点字による通信端末内に組み込んで利用することができる。それも、有線や無線または赤外線等の媒体を利用した携帯通信端末機器での通信を可能とする。
【００７０】
図２３ないし図２７は、本発明のリニア振動アクチュエータモジュールの他の実施の形態を示す図である。これら図において、リニア振動アクチュエータＡの磁性体を除き、図１９ないし図２２と同様な構成であり、これら図と同一部材にはこれら図にて用いた符号を使用し、その説明を以下では省略する。
【００７１】
また、リニア駆動アクチュエータＡの磁性体を除き、それぞれのリニア振動アクチュエータは図１５ないし図１７にて述べたアクチュエータの機能と全く同じである。
Ｍは、前記リニア振動アクチュエータＡの磁性体Ｄと同じ働きをする磁性体であるが、ｎ個のリニア振動アクチュエータＡに対してｎ個の磁性体は必要なく、一個の磁性体で賄うようにしたものである。さらに磁性体Ｍは、図２５に示すように、凹状の形状を持ち、ｎ個のリニア振動アクチュエータにおいて可動体Ｅの磁性体Ｇの位置に合わせて中央に位置するように枠体Ｊに埋め込まれている。そして、磁性体Ｍの直線部分Ｍ−ａとリニア振動アクチュエータＡの周面最下位部分との空隙は略ゼロとする。
【００７２】
このリニア振動アクチュエータモジュールにおいて、可動体Ｅの中心部である磁性体Ｇを挟んだ同一磁極の極性すなわちＳ−Ｓ極またはＮ−Ｎ極は、隣り合う可動体Ｅの磁極すなわち上記Ｓ−Ｓ極の場合はＮ−Ｎ極、上記Ｎ−Ｎ極の場合はＳ−Ｓ極と、引き合うように異なる磁極とし、交互に異なる磁極を並べたリニア振動アクチュエータモジュールとすることにより各可動体Ｅを中立状態に安定させるという効果を有する。また、中立位置に置いた磁性体を直線軌道とすることにより、上述の一実施の形態に比べて中立状態がより軌道上で安定するという効果を有する。
【実施例】
【００７３】
図１８は、図１５ないし図１７に示した小型リニア振動アクチュエータの１実施例の起電位の変化様子を示す図である。
この実施例において、リニア振動アクチュエータＡのボビンＢの寸法は、長さが２４ｍｍ、径が１０ｍｍであり、非磁性体から形成している。コイルＣは、被服銅線製で０．２１ｍｍ径を用い、３つの分割コイルをそれぞれ２ｍｍあけて２４０回巻きしたものを用いた。可動体Ｅは、可動子Ｆとして非磁性の２ｍｍ径のものを使用し、磁性体Ｇとして、鉄製の６ｍｍ径で長さ２ｍｍのものを使用した。永久磁石は、ネオジューム製の６ｍｍ径で長さ６ｍｍのものを使用した。
図１８は、人的に可動体の可動子を押して、離したときの起電力の大凡の振幅変化を示している。Ｘ軸は時間を表わし、Ｙ軸は起電力の大きさを表わしている。図１８にて、ｔ１は可動子Ｆを押し初めてから押し終わるまでの可動子を移動させるのに要した時間、ｔ２は押し終わってから指を離す前までの可動子が停止している時間、ｔ３は可動子から指を離してから可動子が元の位置に復帰するまでに要した時間を示す。図中、２５０ｍｓは、２５０ミリ秒を意味する。
【００７４】
まず、図１５ないし図１７において、可動体Ｅの可動軸Ｆの一方の先端から人的力を加えて一時的に他方の先端に向けて強制移動させる。その結果、励磁コイルＣにフレーミングの電磁誘導の法則に従いプラスの起電位が生じる。その結果、電極端子Ｏに電流が出力される。これが図１８において、加圧エネルギー曲線Ｐとして示されている。
続いて、人的力を解除することで、励磁コイルＣに磁石にフレーミングの電磁誘導の法則に従いマイナスの起電位が生じる。その結果、電極端子Ｏに逆電流が出力される。その直後、可動体Ｅは元の中立状態に戻る。これが図１８において、復旧エネルギ曲線Ｒとして示されている。
【００７５】
図２８はリニア振動アクチュエータモジュールを備えた通信端末装置を示す図である。
この図が示すように通信端末機は、リニア振動アクチュエータモジュールが筐体１０００と、この筐体１０００を握持する使用者のそれぞれの指があたる位置にて筐体に対して出没動可能に配設された４個のキー１００１，１００２，１００３，１００４と、クリックスイッチボタンと１００５、移動又はスクロールレバー１００６を具備している。これらのキー１００１〜１００４は、それぞれがリニア振動アクチュエータモジュール内に設けられている４つの各リニア振動アクチュエータの可動子Ｆに接して取り付けられている。なおユーザは左右の一対の通信端末機１０００を用いて指点字の通信を行う。
【００７６】
そして、キー１００１，１００２，１００３，１００４の何れか一つまたは複数に外力Ｆ１が加わると、そのキーに接している可動子Ｆを備えた各リニア振動アクチュエータにおいて、フレーミングの電磁誘導の法則によって励磁コイルＣに移動を妨げる方向の磁束が生じ、電極端子Ｏに電流が出力される。
【００７７】
そして第１の実施形態と同様に、この電流の変化は、アナログ信号として、入力アンプ回路によって増幅され、Ａ/Ｄ変換回路によりあらかじめ設定された電圧の入力レンジの範囲内において必要な解像度でデジタル信号として採取され、通信端末機に備えられている回路基板２２（図１２）内のＣＰＵに送られる。ＣＰＵ内のコード回路は、キーの押された個所からコード表テーブルに従い、指点字に従った文字のコード信号を通信端末機に備えられている送受信器から発信する。その信号はリード線を経由してパソコンまたは、他の操作者が持っている他方の通信端末機に有線接続されるか、アンテナを介して無線接続される。これにより通信端末機間において、指点字の情報を送受信することができる。
【００７８】
一方、パソコンおよび上記他の操作者から発信された文字や点字信号は、ＵＳＢポートやアンテナ等を経由し通信端末機の備えた送受信器を通して通信端末機内のＣＰＵへ送られる。ＣＰＵのアンコード回路は、文字や点字信号に従いキーの振動の信号を発信し、Ｄ／Ａ変換回路にてアナログ信号に変換し、リニア出力アンプ回路によって信号を増幅し、それぞれのキーに接続したリニア振動アクチュエータにより対応するキーを適切に振動させて、筐体１０００に対し出没動させる。この場合の振動は、入力とは可逆の作用により入力の時と同じ発生電位を逆の方向で与えることにより入力時の指が押した同じ振動を得る。
【産業上の利用可能性】
【００７９】
視覚障害者の情報伝達手段として指先でなぞる点字ディスプレ−が、現在も広く使われているが、将来は認識が容易な指ごとの指点字ディスプレーによる情報伝達が多く望まれることになる。指ごとの触覚が双方向でリアルタイムに通信できるようになり、その情報伝達の手段に赤外線通信または遠隔地における通信手段として無線通信が使われることになる。本発明に係る通信端末機は、このような携帯端末の触覚入出力装置部分に使用されうる。またその他情報伝達機器などのほか、センサなどの他の用途にも適用できる。
【図面の簡単な説明】
【００８０】
【図１】本発明の実施の形態を示す右手用通信端末機の正面図
【図２】本発明の実施の形態を示す左手用通信端末機の正面図
【図３】図１の筐体の半分を取り除いた状態の右手用通信端末機の正面図
【図４】図２の筐体の半分を取り除いた状態の左手用通信端末機の正面図
【図５】キー駆動発生器を兼ねたキー電位発生器を示す断面図
【図６】キー電位発生器でのキーが押されたときの起電流発生を示す模式図
【図７】キー電位発生器でのキーが押された状態から復帰するときの起電流発生を示す模式図
【図８】キー駆動発生器でのキーを没動させる方向への電流の付与を示す模式図
【図９】キー駆動発生器でのキーを突出させる方向への電流の付与を示す模式図
【図１０】キー電位発生器でのキーを早く押したときの加圧エネルギーと復帰エネルギーを示すグラフ
【図１１】キー電位発生器でのキーを遅く押したときの加圧エネルギーと復帰エネルギーを示すグラフ
【図１２】図１および図２の通信端末機での回路基板の構成を示すブロック図
【図１３】信号を種々のコードに変換できるコード表の一例を示すテーブル
【図１４】信号を種々のコードに変換できるコード表の他の例を示すテーブル
【図１５】本発明に係わるリニア振動アクチュエータモジュールの実施の形態に使用するリニア振動アクチュエータを示す正面図
【図１６】同アクチュエータの平面図
【図１７】同アクチュエータの図１６におけるＸ−Ｘ線に沿った拡大断面図
【図１８】同アクチュエータの発生する起電力を示す縦軸に起電力とし横軸を時間としたグラフ（実施例）
【図１９】本発明に係るリニア振動アクチュエータモジュールの一実施形態を示す平面図
【図２０】同モジュールの側面図
【図２１】同モジュールの正面図
【図２２】同モジュールの図１９におけるリニア振動アクチュエータおよび磁束収束用磁性体の磁極の状態を示す模式図
【図２３】本発明に係るリニア振動アクチュエータモジュールの他の実施形態を示す平面図
【図２４】他の実施形態である同モジュールの側面図
【図２５】他の実施形態である同モジュールの正面図
【図２６】同モジュールの図２２におけるＹ−Ｙ線に沿った断面図
【図２７】同モジュールの図２３におけるリニア振動アクチュエータおよび磁束収束用磁性体の磁極の状態を示す模式図
【図２８】リニア振動アクチュエータモジュールを備えた通信端末機を示す図
【図２９】従来の常装着型入力システムを示す左手に装着した状態を示す斜視図
【図３０】従来のポータブル対話装置の点字入力用キーボードの構成を示す平面図
【図３１】従来のポータブル対話装置のディスプレイを示す平面図
【図３２】従来のポータブル対話装置の基本システム構成を示すブロック図
【符号の説明】
【００８１】
１              右手用通信端末装置
１０１          左手用通信端末装置
１０００        通信端末装置
２，１０２      筐体
３〜６，１０３〜１０６，１０００〜１００４    キー
１０，１１０  キー駆動発生器を兼ねたキー電位発生器（リニア振動アクチュエータ）
１１，１１１    可動軸
１２，１１２    磁石
１３，１１３    励磁コイル
４０，１４０    ＣＰＵ
４１，１４１    コード回路
４２，１４２    デコード回路
５０，１５０    送受信器
６０，１６０    アンテナ
６４，１６４    右クリックスイッチボタン
６５，１６５    左クリックスイッチボタン
６６，１６６    スクロールスイッチダイアル
６７，１６７    クリックスイッチボタン
Ａ              リニア振動アクチュエータ
Ｂ              ボビン
Ｃ              励磁コイル
Ｄ              磁性体
Ｅ              可動体
Ｆ              可動軸
Ｇ              磁性体
Ｈ，Ｉ          永久磁石
Ｊ              枠体
Ｋ，Ｔ          カラー
Ｍ              磁性体
Ｏ              電極端子
Ｐ，Ｑ          軸受
Ｓ              カバー
【図１】
2008059486.tif 000003
【図２】
2008059486.tif 000004
【図３】
2008059486.tif 000005
【図４】
2008059486.tif 000006
【図５】
2008059486.tif 000007
【図６】
2008059486.tif 000008
【図７】
2008059486.tif 000009
【図８】
2008059486.tif 000010
【図９】
2008059486.tif 000011
【図１０】
2008059486.tif 000012
【図１１】
2008059486.tif 000013
【図１２】
2008059486.tif 000014
【図１３】
2008059486.tif 000015
【図１４】
2008059486.tif 000016
【図１５】
2008059486.tif 000017
【図１６】
2008059486.tif 000018
【図１７】
2008059486.tif 000019
【図１８】
2008059486.tif 000020
【図１９】
2008059486.tif 000021
【図２０】
2008059486.tif 000022
【図２１】
2008059486.tif 000023
【図２２】
2008059486.tif 000024
【図２３】
2008059486.tif 000025
【図２４】
2008059486.tif 000026
【図２５】
2008059486.tif 000027
【図２６】
2008059486.tif 000028
【図２７】
2008059486.tif 000029
【図２８】
2008059486.tif 000030
【図２９】
2008059486.tif 000031
【図３０】
2008059486.tif 000032
【図３１】
2008059486.tif 000033
【図３２】
2008059486.tif 000034